(57)【要約】【課題】スリムな空気調和装置の熱源ユニットを提供する。【解決手段】空気調和装置の熱源ユニットは、第１熱交換部４２及び第２熱交換部４４を含む熱源側熱交換器４０と、熱源側熱交換器を通過する気流を生成し、熱源側熱交換器に対して気流の方向Ｄ１における風下側に配置される熱源側ファン６０と、熱源側熱交換器および熱源側ファンを収容し、方向Ｄ１における風上側と面して配置される背面１１２を有するケーシング１１０と、を備える。第１熱交換部は、方向Ｄ１における風上側の第１平面Ｆ１を有し、第２熱交換部は、方向Ｄ１における風上側の第２平面Ｆ２を有する。第１平面と第２平面とが成す角度αは、鈍角である。【選択図】図５
2020063861.tif 000002
【特許請求の範囲】
【請求項１】
第１熱交換部（４２，４２’）及び第２熱交換部（４４，４４’）を含む熱交換器（４０，４０’）と、
前記熱交換器を通過する気流を生成し、前記熱交換器に対して前記気流の方向（Ｄ１）における風下側に配置されるファン（６０）と、
前記熱交換器および前記ファンを収容し、前記熱交換器の前記気流の方向における風上側と面して配置される第１側面（１１２）を有する、ケーシング（１１０）と、
を備え、
前記第１熱交換部は、前記気流の方向における風上側の第１平面（Ｆ１，Ｆ１’）を有し、
前記第２熱交換部は、前記気流の方向における風上側の第２平面（Ｆ２，Ｆ２’）を有し、
前記第１平面と前記第２平面とが成す角度（α，α’）は、鈍角である、
空気調和装置の熱源ユニット（１０２）。
【請求項２】
平面視において、前記第１平面及び前記第２平面は、前記ケーシングの前記第１側面と交差する方向に広がる、
請求項１に記載の空気調和装置の熱源ユニット。
【請求項３】
前記ケーシングは、前記第１側面の両端部から前記第１側面と交差して延びる第２側面（１１４）と第３側面（１１６）とを更に有し、
前記ケーシングの前記第１側面、前記第２側面、及び前記第３側面には吸込口（１１０ｂ）が形成され、前記ファンが運転されると、前記第１側面、前記第２側面、及び前記第３側面に形成された前記吸込口から取り込まれた空気が前記熱交換器を通過する、
請求項１又は２に記載の空気調和装置の熱源ユニット。
【請求項４】
前記熱交換器（４０）は、前記第１熱交換部（４２）と前記第２熱交換部（４４）との間に配置される湾曲した第３熱交換部（４６）を含み、前記第１熱交換部、前記第３熱交換部、及び前記第２熱交換部は連続している、
請求項１から３のいずれか１項に記載の空気調和装置の熱源ユニット。
【請求項５】
平面視において、前記第１熱交換部と、前記第２熱交換部と、前記第１熱交換部及び前記第２熱交換部の互いの近位側の端部同士を結んだ直線（Ｌ１）と、前記第１熱交換部及び前記第２熱交換部の互いの遠位側の端部同士を結んだ直線（Ｌ２）とに囲まれた図形（Ｚ）の内側に、前記ファンを駆動するファンモータ（６２）の少なくとも一部が位置する、
請求項１から４のいずれか１項に記載の空気調和装置の熱源ユニット。
【請求項６】
前記熱交換器と共に前記空気調和装置の冷媒回路（１０）を形成する圧縮機（２０）を更に備え、
前記圧縮機は、前記熱交換器の上方又は下方に配置される、
請求項１から５のいずれか１項に記載の空気調和装置の熱源ユニット。
【請求項７】
前記ファンは、少なくとも第１ファン（６０ａ）及び第２ファン（６０ｂ）を含む、
請求項１から６のいずれか１項に記載の空気調和装置の熱源ユニット。
【請求項８】
前記第１ファン及び前記第２ファンは、上下に並べて配置されている、
請求項７に記載の空気調和装置の熱源ユニット。
【請求項９】
圧縮機（２０）、熱源側熱交換器（４０，４０’）、及び利用側熱交換器（５０）を含む冷媒回路（１０）と、前記熱源側熱交換器を通過する気流を生成する熱源側ファン（６０）と、前記利用側熱交換器を通過する気流を生成する利用側ファン（７０）と、前記冷媒回路、前記熱源側ファン及び前記利用側ファンを収容するケーシング（１１０）と、を有する、空調対象空間の外に配置される空気調和装置であって、
前記熱源側熱交換器は、第１熱交換部（４２，４２’）及び第２熱交換部（４４，４４’）を含み、
前記熱源側ファンは、前記熱源側熱交換器に対して、前記熱源側ファンが生成する気流の方向である第１気流方向（Ｄ１）における風下側に配置され、
前記ケーシングは、前記熱源側熱交換器の前記第１気流方向における風上側と面して配置される第１側面（１１２）を有し、
前記第１熱交換部は、前記第１気流方向における風上側の第１平面（Ｆ１，Ｆ１’）を有し、
前記第２熱交換部は、前記第１気流方向における風上側の第２平面（Ｆ２，Ｆ２’）を有し、
前記第１平面と前記第２平面とが成す角度（α，α’）は、鈍角である、
空気調和装置（１００）。
【発明の詳細な説明】
【技術分野】
【０００１】
空気調和装置及び空気調和装置の熱源ユニットに関する。
【背景技術】
【０００２】
従来、特許文献１（特開２００７−１２７３８８号公報）のように、単一の平板状に形成された熱源側熱交換器を利用する熱源ユニットを備えた空気調和装置が知られている。
【発明の概要】
【発明が解決しようとする課題】
【０００３】
空気調和装置の熱源ユニットに、特許文献１（特開２００７−１２７３８８号公報）に開示されているような単一の平板状に形成された熱源側熱交換器を利用する場合には、空気調和装置の処理能力をあげようとすると、熱源側熱交換器の幅が大きくなり、これに伴い熱源ユニットの幅も増大して、限られたスペースに熱源ユニットを配置することが困難になるおそれがある。
【課題を解決するための手段】
【０００４】
第１観点の空気調和装置の熱源ユニットは、熱交換器と、ファンと、ケーシングと、を備える。熱交換器は、第１熱交換部及び第２熱交換部を含む。ファンは、熱交換器を通過する気流を生成し、熱交換器に対して気流の方向における風下側に配置される。ケーシングは、熱交換器およびファンを収容する。ケーシングは、熱交換器の気流の方向における風上側と面して配置される第１側面を有する。第１熱交換部は、気流の方向における風上側の第１平面を有する。第２熱交換部は、気流の方向における風上側の第２平面を有する。第１平面と第２平面とが成す角度は、鈍角である。
【０００５】
第１観点の空気調和装置の熱源ユニットでは、単一の平板状に形成された熱交換器を利用する場合に比べ、同一の熱交換能力をケーシングの第１側面の幅を抑制したスリムな熱源ユニットで実現できる。そのため、比較的狭いスペースであっても本熱源ユニットを設置できる。
【０００６】
第２観点の空気調和装置の熱源ユニットは、第１観点の空気調和装置の熱源ユニットであって、平面視において、第１平面及び第２平面は、ケーシングの第１側面と交差する方向に広がる。
【０００７】
第２観点の空気調和装置の熱源ユニットでは、ケーシング内に、第１熱交換部の第１平面及び第２熱交換部の第２平面がケーシングの第１側面と交差するように熱交換器が配置されるため、ケーシングの第１側面の幅を抑制したスリムな熱源ユニットが実現されやすい。
【０００８】
第３観点の空気調和装置の熱源ユニットは、第１観点又は第２観点の空気調和装置の熱源ユニットであって、ケーシングは、第１側面の両端部から第１側面と交差して延びる第２側面と第３側面とを更に有する。ケーシングの第１側面、第２側面、及び第３側面には吸込口が形成される。ファンが運転されると、ケーシングの第１側面、第２側面、及び第３側面に形成された吸込口から取り込まれた空気が熱交換器を通過する。
【０００９】
第３観点の空気調和装置の熱源ユニットでは、ケーシングの複数の側面から空気を取り込むため、熱交換器に供給する空気量を確保することが容易である。
【００１０】
第４観点の空気調和装置の熱源ユニットは、第１観点から第３観点のいずれかの空気調和装置の熱源ユニットであって、熱交換器は、第１熱交換部と第２熱交換部との間に配置される湾曲した第３熱交換部を含む。熱交換器の第１熱交換部、第３熱交換部、及び第２熱交換部は連続している。
【００１１】
第４観点の空気調和装置の熱源ユニットでは、第１熱交換部と第２熱交換部との間のスペースも熱交換に有効利用することができる。
【００１２】
第５観点の空気調和装置の熱源ユニットは、第１観点から第４観点のいずれかの空気調和装置の熱源ユニットであって、第１熱交換部と、第２熱交換部と、第１熱交換部及び第２熱交換部の互いの近位側の端部同士を結んだ直線と、第１熱交換部及び第２熱交換部の互いの遠位側の端部同士を結んだ直線とに囲まれた図形の内側に、ファンを駆動するファンモータの少なくとも一部が位置する。
【００１３】
第５観点の空気調和装置の熱源ユニットでは、第１熱交換部と第２熱交換部とが鈍角を成すように配置されることで生ずるスペースがファンモータの設置スペースとして有効利用されるため、熱源ユニットを小型化することが容易である。
【００１４】
第６観点の空気調和装置の熱源ユニットは、第１観点から第５観点のいずれかの空気調和装置の熱源ユニットであって、熱交換器と共に空気調和装置の冷媒回路を形成する圧縮機を更に備える。圧縮機は、熱交換器の上方又は下方に配置される。
【００１５】
ここでは、熱源ユニットの圧縮機を熱交換器の上方又は下方に配置することで、圧縮機と熱交換器とを水平方向に並べて設置する場合に比べ、設置面積の小さな熱源ユニットを実現することができる。
【００１６】
第７観点の空気調和装置の熱源ユニットは、第１観点から第６観点のいずれかの空気調和装置の熱源ユニットであって、ファンは、少なくとも第１ファン及び第２ファンを含む。
【００１７】
第７観点の空気調和装置の熱源ユニットでは、ファンが複数であるため、低負荷時には一部のファンを停止することで騒音の低減等を図ることができる。
【００１８】
第８観点の空気調和装置の熱源ユニットは、第７観点の空気調和装置の熱源ユニットであって、第１ファン及び第２ファンは、上下に並べて配置されている。
【００１９】
第８観点の空気調和装置の熱源ユニットでは、複数のファンを上下に並べて配置することで、複数のファンを水平方向に並べて配置するよりも、設置面積の小さな熱源ユニットを実現することができる。
【００２０】
第９観点の空気調和装置は、空調対象空間の外に配置される空気調和装置である。空気調和装置は、冷媒回路と、熱源側ファンと、利用側ファンと、ケーシングと、を有する。冷媒回路は、圧縮機、熱源側熱交換器、及び利用側熱交換器を含む。熱源側ファンは、熱源側熱交換器を通過する気流を生成する。利用側ファンは、利用側熱交換器を通過する気流を生成する。ケーシングは、冷媒回路、熱源側ファン及び利用側ファンを収容する。熱源側熱交換器は、第１熱交換部及び第２熱交換部を含む。熱源側ファンは、熱源側熱交換器に対して、熱源側ファンが生成する気流の方向である第１気流方向における風下側に配置される。ケーシングは、熱源側熱交換器の第１気流方向における風上側と面して配置される第１側面を有する。第１熱交換部は、第１気流方向における風上側の第１平面を有する。第２熱交換部は、第１気流方向における風上側の第２平面を有する。第１平面と第２平面とが成す角度は、鈍角である。
【図面の簡単な説明】
【００２１】
【図１】一実施形態に係る空気調和システムの概略の透視斜視図である。
【図２】図１の空気調和システムの設置状態の一例における概略の透視左側面図である。
【図３】図１の空気調和システムの空気調和装置が有する冷媒回路の概略図である。
【図４】図１の空気調和システムのブロック図である。
【図５】図１の空気調和システムの空気調和装置の熱源ユニットの熱源側空間の概略平面図である。
【図６】変形例Ａの空気調和システムの空気調和装置の熱源ユニットの熱源側空間の概略平面図である。
【発明を実施するための形態】
【００２２】
一実施形態に係る空気調和装置１００及び空気調和装置１００の熱源ユニット１０２を有する空気調和システム１について、図面を参照しながら、以下に説明する。
【００２３】
なお、以下では、位置や方向を説明するために「上」「下」「前（正面）」「後（背面）」「左」「右」等の表現を用いる場合がある。これらの表現は、特記無き場合、図面に示した「上」「下」「前」「後」「左」「右」の矢印の向きに従う。
【００２４】
（１）全体概要
空気調和システム１の全体概要を、図１〜図４を参照しながら説明する。図１は、空気調和システム１の概略の透視斜視図である。図２は、空気調和システム１の設置状態の一例における概略の透視左側面図である。図３は、空気調和システム１の空気調和装置１００が有する冷媒回路１０の概略図である。図４は、空気調和システム１のブロック図である。
【００２５】
空気調和システム１は、空気調和装置１００の冷媒回路１０で行われる蒸気圧縮冷凍サイクルを利用して、空調対象空間Ｓ１の冷房、除湿及び暖房を行う装置である。つまり、空気調和システム１は、空調対象空間Ｓ１の冷房を行う冷房運転モードと、空調対象空間Ｓ１の除湿を行う除湿運転モードと、空調対象空間Ｓ１の暖房を行う暖房運転モードと、を運転モードとして有する。限定するものではないが、空気調和装置１００で使用される冷媒は、例えばＲ３２を含むＨＦＣ系冷媒である。
【００２６】
なお、空気調和システム１は、冷房、除湿及び暖房の全てを行うことが可能な装置に限定されるものではない。例えば、空気調和システム１は、冷房／除湿のみを行うことが可能な冷房専用機であってもよい。また、例えば、空気調和システム１は、暖房のみを行うことが可能な暖房専用機であってもよい。なお、空気調和システム１が冷房専用機である場合、空気調和システム１は、後述する流向切換機構３０を有していなくてもよい。また、空気調和システム１が暖房専用機である場合にも、空気調和システム１は流向切換機構３０を有していなくてもよい。ただし、空気調和システム１が後述する熱源側熱交換器４０の除霜のために逆サイクルデフロスト運転を行うものであれば、流向切換機構３０を有することが好ましい。
【００２７】
空気調和システム１は、空気調和装置１００と、吸入／吹出ユニット２００と、空気調和システム１を構成する空気調和装置１００及び吸入／吹出ユニット２００の各種構成機器の動作を制御する制御装置９０と、を主に有する（図１及び図４参照）。吸入／吹出ユニット２００は、空調対象空間Ｓ１の空気を吸い込んで空気調和装置１００へと送り、空気調和装置１００で冷媒により冷却又は加熱された空気を空調対象空間Ｓ１に吹き出すユニットである。空気調和装置１００は、熱源ユニット１０２及び利用ユニット１０４を有する一体型の空気調和装置である。空気調和装置１００は、冷媒回路１０を備え、吸入／吹出ユニット２００から送られてくる空調対象空間Ｓ１の空気を冷却又は加熱して、吸入／吹出ユニット２００へと送る。
【００２８】
空気調和装置１００と吸入／吹出ユニット２００とは、吸込側ダクト２６０と吹出側ダクト２５０とにより接続されている。吸込側ダクト２６０及び吹出側ダクト２５０は、それぞれ、例えば、空調対象空間Ｓ１と後述する空気調和装置設置空間Ｓ２とを仕切る壁Ｗに形成された孔に挿通され、一端が空気調和装置１００に、他端が吸入／吹出ユニット２００に接続されている。吸込側ダクト２６０は、後述する吸入／吹出ユニット２００の本体２７０に形成された吸込口２２０から吸い込まれた空調対象空間Ｓ１の空気を、後述する空気調和装置１００の利用側熱交換器５０へと送るための空気の通路である。吹出側ダクト２５０は、空気調和装置１００の利用側熱交換器５０を通過した空気を吸入／吹出ユニット２００へと送るための空気の通路である。
【００２９】
なお、本実施形態では、吸込側ダクト２６０と吹出側ダクト２５０とは、それぞれ独立しているが、これに限定されるものではない。例えば、空気調和装置１００と吸入／吹出ユニット２００とは、単一のダクト管により接続されてもよい。そして、単一のダクト管の内部が、本体２７０に形成された吸込口２２０から吸い込まれた空調対象空間Ｓ１の空気を空気調和装置１００の利用側熱交換器５０へと送るための空気の通路（吸込側ダクト２６０に対応）と、利用側熱交換器５０を通過した空気を吸入／吹出ユニット２００へと送るための空気の通路（吹出側ダクト２５０に対応）と、に仕切られてもよい。
【００３０】
吸入／吹出ユニット２００は、空調対象空間Ｓ１の壁Ｗに設置される（図２参照）。吸入／吹出ユニット２００は、本体２７０を主に有する（図１参照）。本体２７０には、空調対象空間Ｓ１の空気を吸い込むための吸込口２２０と、空調対象空間Ｓ１に空気を吹き出すための吹出口２１０と、が形成されている（図１及び図２参照）。
【００３１】
空気調和装置１００は、空調対象空間Ｓ１の外の空間（空気調和装置設置空間Ｓ２と呼ぶ）に配置される（図２参照）。限定するものではないが、空気調和装置１００の設置される空気調和装置設置空間Ｓ２は、例えば屋外である。なお、空気調和装置１００と吸入／吹出ユニット２００との間を接続する吸込側ダクト２６０及び吹出側ダクト２５０（図２参照）のダクト長を抑制するため、好ましくは、空気調和装置１００は図２のように空調対象空間Ｓ１に設置される吸入／吹出ユニット２００と壁Ｗを挟んで隣接して配置される。吸込側ダクト２６０及び吹出側ダクト２５０のダクト長を抑制することで、吸込側ダクト２６０及び吹出側ダクト２５０を空気が通過する際の圧力損失の増大を抑制できる。なお、空気調和装置１００のケーシング１１０は、ケーシング１１０の背面１１２が壁Ｗに対向するように配置される。設置スペース抑制の観点からは、ケーシング１１０は、ケーシング１１０の背面１１２が壁Ｗにできるだけ近づけて配置されることが好ましい。ただし、背面１１２に形成された熱源側吸込口１１０ａから空気を吸い込むためには、ケーシング１１０の背面１１２と壁Ｗとは、例えば３０〜１００ｍｍ離して設置されることが好ましい。設置スペースの抑制を特に重視する場合、ケーシング１１０の背面１１２と壁Ｗとは、例えば３０〜６０ｍｍ離して設置されることが好ましい。
【００３２】
空気調和装置１００は、空気調和装置設置空間Ｓ２の空気を熱源として蒸気圧縮冷凍サイクルを行う冷媒回路１０を有する（図３参照）。
【００３３】
また、空気調和装置１００は、冷媒回路１０に含まれる利用側熱交換器５０を通過する気流を生成する利用側ファン７０を有する（図１及び図３参照）。吸入／吹出ユニット２００の吸込口２２０は、利用側ファン７０の生成する気流の方向における利用側熱交換器５０の風上側の空間Ａ１（図２参照）と連通している。具体的には、吸入／吹出ユニット２００の吸込口２２０は、吸込側ダクト２６０を介して、利用側ファン７０の生成する気流の方向における利用側熱交換器５０の風上側の空間Ａ１（図２参照）と連通している。また、吸入／吹出ユニット２００の吹出口２１０は、利用側ファン７０の生成する気流の方向における利用側熱交換器５０の風下側の空間Ａ２と連通している。具体的には、吸入／吹出ユニット２００の吹出口２１０は、吹出側ダクト２５０を介して、利用側ファン７０の生成する気流の方向における利用側熱交換器５０の風下側の空間Ａ２（図２参照）と連通している。利用側ファン７０が運転されると、吸入／吹出ユニット２００の吸込口２２０から空調対象空間Ｓ１の空気が吸い込まれ、吸込側ダクト２６０と空間Ａ１とを通過して利用側熱交換器５０へと送られ、利用側熱交換器５０で冷媒と熱交換する。利用側熱交換器５０で冷媒と熱交換した空気は、空間Ａ２と吹出側ダクト２５０とを通過して、最終的に吸入／吹出ユニット２００の吹出口２１０から空調対象空間Ｓ１へと吹き出す。
【００３４】
また、空気調和装置１００は、冷媒回路１０に含まれる熱源側熱交換器４０を通過する気流を生成する熱源側ファン６０を有する。また、空気調和装置１００は、冷媒回路１０、利用側ファン７０及び熱源側ファン６０を収容するケーシング１１０を有する。形状を限定するものではないが、ケーシング１１０は、略直方体形状を有する。ケーシング１１０は、第１側面の一例としての背面１１２、第２側面の一例としての右側面１１４、第３側面の一例としての左側面１１６、及び前面１１８を側面として有する。ケーシング１１０には、空気調和装置設置空間Ｓ２の空気をケーシング１１０内に吸い込むための熱源側吸込口１１０ａと、熱源側吸込口１１０ａから取り込まれ熱源側熱交換器４０を通過した空気を空気調和装置設置空間Ｓ２へと吹き出す熱源側吹出口１１０ｂと、が形成されている。熱源側ファン６０が運転されることで、熱源側吸込口１１０ａからケーシング１１０内に空気調和装置設置空間Ｓ２の空気が取り込まれ、熱源側吸込口１１０ａから取り込まれた空気は熱源側熱交換器４０を通過して熱源側吹出口１１０ｂから空気調和装置設置空間Ｓ２へと吹き出される。
【００３５】
制御装置９０は、例えば、空気調和装置１００が有する空気調和装置側制御装置（図示せず）と、吸入／吹出ユニット２００が有する吸入／吹出ユニット側制御装置（図示せず）とを含む。空気調和装置側制御装置と吸入／吹出ユニット側制御装置とは、協働して制御装置９０として機能する。
【００３６】
（２）詳細説明
以下に、空気調和装置１００、吸入／吹出ユニット２００及び制御装置９０について詳細を説明する。
【００３７】
（２−１）空気調和装置
空気調和装置１００が主に有する、冷媒回路１０と、熱源側ファン６０と、利用側ファン７０と、ケーシング１１０と、について説明する。
【００３８】
空気調和装置１００は、一体型のユニットである。空気調和装置１００が一体型であるとは、ケーシング１１０に、冷媒回路１０、熱源側ファン６０及び利用側ファン７０が収容されていることを意味する。なお、ケーシング１１０に、冷媒回路１０、熱源側ファン６０及び利用側ファン７０が収容されているとは、冷媒回路１０、熱源側ファン６０及び利用側ファン７０が部分的にケーシング１１０の外に露出している状態を除外するものではない。言い換えれば、空気調和装置１００が一体型であるとは、ケーシング１１０に、空気調和装置の熱源ユニット１０２と利用ユニット１０４との両方が収容されていることを意味する。
【００３９】
なお、現地での配管作業を削減する等の観点からは、空気調和装置１００は一体型であることが好ましいが、空気調和装置１００は一体型に限定されるものではない。例えば、空気調和装置１００は、熱源ユニット１０２と利用ユニット１０４とが、それぞれ別のケーシングに収容され、熱源ユニット１０２と利用ユニット１０４との間は冷媒連絡配管により接続されてもよい。
【００４０】
なお、本実施形態では、空気調和装置１００は、制御装置９０の一部を構成する空気調和装置側制御装置（図示せず）を有する。しかし、空気調和装置１００の説明の中では空気調和装置側制御装置に関する説明は省略し、制御装置９０に関する説明の中で空気調和装置側制御装置について説明する。
【００４１】
（２−１−１）冷媒回路
空気調和装置１００は、圧縮機２０、流向切換機構３０、利用側熱交換器５０、熱源側熱交換器４０及び膨張機構８０等の機器を配管で接続した冷媒回路１０を有する（図３参照）。
【００４２】
初めに、冷媒回路１０における機器の接続について説明する。空気調和システム１は、冷媒回路１０を構成する機器を接続する配管として、主に、吸入管１０ａ、吐出管１０ｂ、第１ガス連絡配管１０ｃ、液連絡配管１０ｄ、及び第２ガス連絡配管１０ｅを含む（図３参照）。
【００４３】
吸入管１０ａは、流向切換機構３０と圧縮機２０の吸入側の配管接続部（図示省略）とを接続する。吐出管１０ｂは、圧縮機２０の吐出側の配管接続部（図示省略）と流向切換機構３０とを接続する。第１ガス連絡配管１０ｃは、流向切換機構３０と、熱源側熱交換器４０のガス側冷媒出入口とを接続する。液連絡配管１０ｄは、熱源側熱交換器４０の液側冷媒出入口と、利用側熱交換器５０の液側冷媒出入口とを接続する。第２ガス連絡配管１０ｅは、利用側熱交換器５０のガス側冷媒出入口と、流向切換機構３０とを接続する。
【００４４】
次に、圧縮機２０、流向切換機構３０、熱源側熱交換器４０、利用側熱交換器５０及び膨張機構８０及びについて説明する。
【００４５】
（２−１−１−１）圧縮機
圧縮機２０は、冷媒を圧縮する機器である。圧縮機２０は、冷凍サイクルにおける低圧の冷媒を圧縮して、冷凍サイクルにおける高圧にまで加圧する。
【００４６】
圧縮機２０は、タイプを限定するものでは無いが、例えば、ロータリ式やスクロール式等の容積圧縮機である。圧縮機２０の圧縮機構（図示せず）は、モータ（図示せず）によって駆動される。圧縮機２０は、定容量の圧縮機（非インバータ圧縮機）であってもよいし、容量可変の圧縮機（インバータ圧縮機）であってもよい。
【００４７】
（２−１−１−２）流向切換機構
流向切換機構３０は、圧縮機２０から吐出される冷媒の流れ方向を切り換えて、空気調和システム１の運転状態を、第１運転状態と、第２運転状態と、の間で切り換える機構である。第１運転状態では、利用側熱交換器５０が蒸発器として機能させられ、熱源側熱交換器４０が凝縮器（放熱器）として機能させられる。第２運転状態では、利用側熱交換器５０が凝縮器（放熱器）として機能させられ、熱源側熱交換器４０が蒸発器として機能させられる。
【００４８】
流向切換機構３０は、冷房／除湿運転時には、空気調和システム１の運転状態を第１運転状態に切り換える。具体的には、冷房／除湿運転時には、流向切換機構３０は、吸入管１０ａを第２ガス連絡配管１０ｅと連通させ、吐出管１０ｂを第１ガス連絡配管１０ｃと連通させる（図３の流向切換機構３０中の実線参照）。つまり、流向切換機構３０は、冷房／除湿運転時に、圧縮機２０の吸入側を吸入管１０ａ及び第２ガス連絡配管１０ｅを通じて利用側熱交換器５０のガス側端に連通させ、かつ、圧縮機２０の吐出側を吐出管１０ｂ及び第１ガス連絡配管１０ｃを通じて熱源側熱交換器４０のガス側端に連通させる。
【００４９】
流向切換機構３０は、暖房運転時には、空気調和システム１の運転状態を第２運転状態に切り換える。具体的には、暖房運転時には、流向切換機構３０は、吸入管１０ａを第１ガス連絡配管１０ｃと連通させ、吐出管１０ｂを第２ガス連絡配管１０ｅと連通させる（図３の流向切換機構３０中の破線参照）。つまり、流向切換機構３０は、暖房運転時に、圧縮機２０の吸入側を吸入管１０ａ及び第１ガス連絡配管１０ｃを通じて熱源側熱交換器４０のガス側端に連通させ、かつ、圧縮機２０の吐出側を吐出管１０ｂ及び第２ガス連絡配管１０ｅを通じて利用側熱交換器５０のガス側端に連通させる。
【００５０】
本実施形態では、流向切換機構３０は、四路切換弁である。ただし、流向切換機構３０は、四路切換弁に限られるものではなく、複数の電磁弁及び冷媒管を組み合わせ、上記のような冷媒の流れ方向の切り換えを実現できるように構成されてもよい。
【００５１】
（２−１−１−３）熱源側熱交換器
熱源側熱交換器４０は、冷媒と空気調和装置設置空間Ｓ２の空気との間で熱交換が行われる熱交換器である。熱源側熱交換器４０の液側端には液連絡配管１０ｄが接続されており、熱源側熱交換器４０のガス側端には第１ガス連絡配管１０ｃが接続されている（図３参照）。空気調和システム１の運転状態が第１運転状態にある時には、熱源側熱交換器４０は凝縮器として機能する。空気調和システム１の運転状態が第２運転状態にある時には、熱源側熱交換器４０は蒸発器として機能する。
【００５２】
熱源側熱交換器４０は、その構造を限定するものではないが、例えば、管板（図示せず）により支持されている内部を冷媒が流れる冷媒伝熱管４０ａと、多数の伝熱フィン４０ｂと、を主に有するフィン・アンド・チューブ型熱交換器である（図５参照）。熱源側熱交換器４０は、管板（図示せず）が上下方向に延び、冷媒伝熱管４０ａが水平方向に延びるような姿勢でケーシング１１０内に配置されている。熱源側熱交換器４０では、冷媒伝熱管４０ａが上下方向に複数段配置されている。例えば、熱源側熱交換器４０では、冷媒伝熱管４０ａが上下方向に３２段配置されている。また、熱源側熱交換器４０では、複数段の冷媒伝熱管４０ａが、熱源側ファン６０が生成する気流の方向に複数列、例えば２列、並べて配置される。なお、冷媒伝熱管４０ａの段数や列数は、例示であって、例示した段数や列数限定されるものではない。例えば、冷媒伝熱管４０ａの列数は１列であってもよいし、３列以上であってもよい。また、冷媒伝熱管４０ａの段数は、例示した段数より多くても少なくてもよい。ただし、設置面積の小さな空気調和装置１００を実現する上では、冷媒伝熱管４０ａの段数は比較的大きく設計されることが好ましい。
【００５３】
熱源側熱交換器４０の、冷媒伝熱管４０ａと伝熱フィン４０ｂとにより構成され、冷媒伝熱管４０ａの内部を流れる冷媒と空気との間で熱交換が行われる部分を熱交換部４１と呼ぶ。熱源側熱交換器４０の熱交換部４１は、第１熱交換部４２と、第２熱交換部４４と、第３熱交換部４６とを含む。
【００５４】
第１熱交換部４２は、平面視において、冷媒伝熱管４０ａが、熱交換部４１の一方側の端部４１ａ（右端）から、左後方に直線的に延びる部分である。第２熱交換部４４は、平面視において、冷媒伝熱管４０ａが、熱交換部４１の他方側の端部４１ｂ（左端）から、右後方に直線的に延びる部分である。第３熱交換部４６は、第１熱交換部４２と第２熱交換部４４との間に配置される。第３熱交換部４６では、平面視において湾曲している。つまり、第３熱交換部４６では、冷媒伝熱管４０ａが湾曲している。熱源側熱交換器４０では、第１熱交換部４２と、第３熱交換部４６と、第２熱交換部４４と、は連続している。製造方法を限定するものではないが、熱源側熱交換器４０は、直線的に延びる冷媒伝熱管４０ａの中間部（第３熱交換部４６となる部分）を曲げ加工により湾曲させられて製造される。直線的に延びる冷媒伝熱管４０ａの中間部を湾曲させることで、平面視において、第１熱交換部４２及び第２熱交換部４４において冷媒伝熱管４０ａが直線的に延び、第３熱交換部４６では冷媒伝熱管４０ａが湾曲する形状に形成される。好ましくは、熱源側熱交換器４０は、直線的に延びる冷媒伝熱管４０ａの中央近傍（端部４１ａと端部４１ｂとの中央近傍）で湾曲させられて製造される。
【００５５】
熱源側熱交換器４０では、第１熱交換部４２の第１平面Ｆ１と第２熱交換部４４の第２平面Ｆ２とが成す角度α（図５参照）は鈍角である。つまり角度αは、９０度より大きく、１８０度より小さい。好ましくは、角度αは、１０５度より大きく、１６５度より小さい。より好ましくは、角度αは、１１０度より大きく、１５０度より小さい。なお、ここで、第１熱交換部４２の第１平面Ｆ１は、第１熱交換部４２に正対した時に、熱源側ファン６０が生成する気流の方向Ｄ１における風上側（ここでは後方側）に配置される平面である（図５参照）。また、ここで、第２熱交換部４４の第２平面Ｆ２は、第２熱交換部４４に正対した時に、熱源側ファン６０が生成する気流の方向Ｄ１における風上側（ここでは後方側）に配置される平面である（図５参照）。
【００５６】
熱源側熱交換器４０は、熱交換部４１の曲げ部分の外側に配される部分がケーシング１１０の背面１１２に最近接するようにケーシング１１０内に配置されることが好ましい。言い換えれば、熱源側熱交換器４０は、第３熱交換部４６の曲げ部分の外側がケーシング１１０の背面１１２の最も近くに配置され、第３熱交換部４６から第１熱交換部４２が右前方に延びるように、第３熱交換部４６から第２熱交換部４４が左前方に延びるようにケーシング１１０内に配置されることが好ましい（図５参照）。つまり、熱源側熱交換器４０は、平面視において、第１熱交換部４２の第１平面Ｆ１及び第２熱交換部４４の第２平面Ｆ２が、ケーシング１１０の背面１１２と交差するようにケーシング１１０内に配置されることが好ましい。このようにケーシング１１０内に熱源側熱交換器４０が配置されることで、背面１１２の幅（つまり、ケーシング１１０の左右方向の長さ）を抑制したスリムなケーシング１１０が実現されやすい。また、このようにケーシング１１０内に熱源側熱交換器４０が配置されることで、後述するように、ケーシング１１０の背面１１２側からだけではなく、ケーシング１１０の右側面１１４及び左側面１１６の後方側に配置された熱源側吸込口１１０ａからも熱源側熱交換器４０へと十分な量の空気が供給されやすい。
【００５７】
（２−１−１−４）利用側熱交換器
利用側熱交換器５０は、吸入／吹出ユニット２００から吸込側ダクト２６０を介して送られてくる空気と冷媒との間で熱交換が行われる熱交換器である。利用側熱交換器５０の液側端には液連絡配管１０ｄが接続されており、利用側熱交換器５０のガス側端には第２ガス連絡配管１０ｅが接続されている（図３参照）。空気調和システム１の運転状態が第１運転状態にある時には、利用側熱交換器５０は蒸発器として機能する。空気調和システム１の運転状態が第２運転状態にある時には、利用側熱交換器５０は凝縮器として機能する。
【００５８】
利用側熱交換器５０は、その構造を限定するものではないが、例えば、内部を冷媒が流れる冷媒伝熱管（図示せず）と、多数の伝熱フィン（図示せず）と、を主に有するフィン・アンド・チューブ型熱交換器である。利用側熱交換器５０は、冷媒伝熱管（図示せず）と伝熱フィン（図示せず）とにより構成される、概ね平板状の熱交換部を有する（図１参照）。
【００５９】
（２−１−１−５）膨張機構
膨張機構８０は、絞り膨張作用により、冷凍サイクルにおける高圧の冷媒の圧力を下げる機構である。本実施形態では、膨張機構８０は電子膨張弁である。ただし、膨張機構８０は、開度調節が可能な電子膨張弁に限定されるものではなく、感熱筒と共に用いられる機械式膨張弁であってもよい。また、膨張機構８０は、キャピラリチューブであってもよい。
【００６０】
（２−１−２）熱源側ファン
熱源側ファン６０は、熱源側熱交換器４０を通過する気流を生成する機器である。熱源側ファン６０は、ファンモータ６２により駆動される。熱源側ファン６０が自ら生成する気流の方向Ｄ１において、熱源側ファン６０は、熱源側熱交換器４０に対して風下側に配置される（図２参照）。なお、方向Ｄ１は、第１気流方向の一例である。
【００６１】
熱源側ファン６０が運転されると、ケーシング１１０に形成された熱源側吸込口１１０ａからケーシング１１０内に空気調和装置設置空間Ｓ２の空気が吸い込まれる。熱源側吸込口１１０ａからケーシング１１０内に吸い込まれた空気は、熱源側熱交換器４０を通過して熱源側吹出口１１０ｂから空気調和装置設置空間Ｓ２へと吹き出される。
【００６２】
熱源側ファン６０は、本実施形態ではプロペラファンである。本実施形態では、空気調和装置１００は、２台のファン（第１ファン６０ａ及び第２ファン６０ｂ）を含む。第１ファン６０ａ及び第２ファン６０ｂは、上下に並べて配置される。熱源側熱交換器４０の高さを比較的大きく取り、上下方向に第１ファン６０ａ及び第２ファン６０ｂを上下に並べて配置したことで、ケーシング１１０の横方向（左右方向）の幅は抑制しつつ、比較的大きな熱負荷に対応することができる。また、ここでは、空気調和装置１００は、２台のファン（第１ファン６０ａ及び第２ファン６０ｂ）を含むことから、低熱負荷時には１台のファンを停止させて、騒音を低減させることができる。
【００６３】
ただし、熱源側ファン６０の種類や台数は、例示した態様に限定されるものではない。上述した熱源側熱交換器４０を通過する空気の流れを生成可能で、所望の風量を確保可能であれば、熱源側ファン６０の種類や台数は適宜決定されればよい。
【００６４】
つまり、熱源側ファン６０は、プロペラファン以外の種類のファンであってもよい。例えば、熱源側ファン６０は、クロスフローファンであってもよい。なお、設置状態を限定するものではないが、熱源側ファン６０がクロスフローファンである場合、クロスフローファンは、ケーシング１１０の左右方向の壁を抑制するため、クロスフローファンの羽根車の回転軸が上下方向に延びるような姿勢でケーシング１１０内に設置されることが好ましい。
【００６５】
また、熱源側ファン６０は、１台だけ又は３台以上のファンを含むものであってもよい。
【００６６】
なお、熱源側ファン６０のファンモータ６２（第１ファン６０ａのファンモータ６２ａ及び第２ファン６０ｂのファンモータ６２ｂ）は、平面視において、少なくとも一部が、熱源側熱交換器４０の、第１熱交換部４２と第２熱交換部４４とにより囲まれた空間の内側に配置されることが好ましい。具体的に説明する。
【００６７】
平面視において、第１熱交換部４２の、第２熱交換部４４に対する近位側の端部（第３熱交換部４６と接続される側の端部の列方向における中央部分）と、第２熱交換部４４の、第１熱交換部４２に対する近位側の端部（第３熱交換部４６と接続される側の端部の列方向における中央部分）と、を結ぶ仮想的な直線を直線Ｌ１と呼ぶ（図５参照）。第１熱交換部４２の、第２熱交換部４４に対する遠位側の端部（熱交換部４１の端部４１ａの列方向における中央部分）と、第２熱交換部４４の、第１熱交換部４２に対する遠位側の端部（熱交換部４１の端部４１ｂの列方向における中央部分）と、を結ぶ仮想的な直線を直線Ｌ２と呼ぶ（図５参照）。そして、平面視において、第１熱交換部４２と、第２熱交換部４４と、第１熱交換部４２及び第２熱交換部４４の互いの近位側の端部同士を結んだ直線Ｌ１と、第１熱交換部４２及び第２熱交換部４４の互いの遠位側の端部同士を結んだ直線Ｌ２と、により囲まれる図形Ｚを仮想する。平面視において、ファンモータ６２ａ及びファンモータ６２ｂの少なくとも一部は、この仮想的な図形Ｚの内側に位置することが好ましい。このような位置にファンモータ６２ａ及びファンモータ６２ｂが配置されることで、スペースを有効利用してケーシングのサイズを抑制することができる。なお、平面視において、ファンモータの少なくとも一部を仮想的な図形Ｚの内側に配置するという構造は、ファン６０の種類を問わず、ケーシング１１０のサイズ抑制に有用である。
【００６８】
（２−１−３）利用側ファン
利用側ファン７０は、利用側熱交換器５０を通過する気流を生成する機器である。利用側ファン７０は、モータ（図示せず）により駆動される。
【００６９】
利用側ファン７０が運転されると、吸入／吹出ユニット２００の吸込口２２０から空調対象空間Ｓ１の空気が吸い込まれ、吸込側ダクト２６０と空間Ａ１とを通過して利用側熱交換器５０へと送られ、利用側熱交換器５０で冷媒と熱交換する。そして、利用側熱交換器５０で冷媒と熱交換した空気は、空間Ａ２と吹出側ダクト２５０とを通過して、最終的に吸入／吹出ユニット２００の吹出口２１０から空調対象空間Ｓ１へと吹き出す。
【００７０】
利用側ファン７０は、本実施形態では１台のシロッコファンである。ただし、利用側ファン７０の種類や台数は、例示した態様に限定されるものではない。上述した利用側熱交換器５０を通過する空気の流れを生成可能で、所望の風量を確保可能であれば、利用側ファン７０の種類や台数は適宜決定されればよい。上述した利用側熱交換器５０を通過する空気の流れを生成可能であれば、利用側ファン７０の種類は適宜決定されればよい。また、利用側ファン７０は、複数台のシロッコファンを含むものであってもよい。
【００７１】
また、本実施形態では、利用側ファン７０は、利用側ファン７０が生成する気流の方向において、利用側熱交換器５０より上流側に配置されるが、これに限定されるものではない。空気の流路等の設計に応じて、利用側ファン７０は、利用側ファン７０が生成する気流の方向において、利用側熱交換器５０より下流側に配置されてもよい。
【００７２】
（２−１−４）ケーシング
ケーシング１１０は、冷媒回路１０、熱源側ファン６０、及び利用側ファン７０を収容する。なお、ケーシング１１０に、冷媒回路１０、熱源側ファン６０及び利用側ファン７０が収容されているとは、冷媒回路１０、熱源側ファン６０及び利用側ファン７０が部分的にケーシング１１０の外に露出している状態（例えば、冷媒回路１０の配管の一部がケーシング１１０の外面に取り付けられているような状態）を除外するものではない。
【００７３】
ケーシング１１０は、空気調和装置設置空間Ｓ２の床に設置される。ただし、ケーシング１１０の設置の態様は、床置きに限定されるものではなく、例えば、ケーシング１１０が隣接している壁に固定・支持されてもよい。
【００７４】
ケーシング１１０には、空気調和装置設置空間Ｓ２の空気をケーシング１１０内に吸い込むための熱源側吸込口１１０ａと、熱源側吸込口１１０ａから吸い込まれ熱源側熱交換器４０を通過した空気を空気調和装置設置空間Ｓ２へと吹き出す熱源側吹出口１１０ｂとが形成されている。熱源側吸込口１１０ａは、ケーシング１１０の背面１１２と、ケーシング１１０の右側面１１４の後方部と、ケーシング１１０の左側面１１６の後方部と、に形成される。なお、右側面１１４及び左側面１１６は、第１側面の一例としての背面１１２の両端部から、背面１１２と交差して延びる（特にここでは略垂直に延びる）、第２側面及び第３側面の一例である。熱源側吹出口１１０ｂは、ケーシング１１０の前面１１８に形成される。熱源側ファン６０が運転されると、背面１１２、右側面１１４及び左側面１１６に形成された熱源側吸込口１１０ａから取り込まれた空気が、熱源側熱交換器４０の熱交換部４１を通過し、その後、熱源側吹出口１１０ｂから吹き出す。
【００７５】
次に、ケーシング１１０内の機器の配置について説明する。
【００７６】
ケーシング１１０の内部は、上下方向において、最下部に配置される熱源側空間Ｓａと、最上部に配置される利用側空間Ｓｃと、熱源側空間Ｓａと利用側空間Ｓｃとの中間に配置される機械室空間Ｓｂと、の３つの空間に区画されている（図１及び図２参照）。なお、熱源側空間Ｓａ、機械室空間Ｓｂ及び利用側空間Ｓｃは、これらの空間の間で直接的な空気の流出入が無いような状態で区画されることが好ましい。
【００７７】
なお、熱源側空間Ｓａ及び機械室空間Ｓｂは、空気調和装置１００の熱源ユニット１０２を構成する。言い換えれば、熱源側空間Ｓａ及び機械室空間Ｓｂは、熱源ユニット１０２を構成する主な機器や部品（熱源側熱交換器４０、熱源側ファン６０及び圧縮機２０）が配置される。また、熱源側空間Ｓａ及び機械室空間Ｓｂに、熱源ユニット１０２を構成する流向切換機構３０や膨張機構８０も配置されてもよい。利用側空間Ｓｃは、空気調和装置１００の利用ユニット１０４を構成する。言い換えれば、利用側空間Ｓｃには、利用ユニット１０４を構成する主な機器や部品（利用側熱交換器５０及び利用側ファン７０）が配置される。
【００７８】
熱源側空間Ｓａには、主に、熱源側熱交換器４０と、熱源側ファン６０と、が配置されている（図１及び図２参照）。ケーシング１１０には、熱源側空間Ｓａと連通するように熱源側吸込口１１０ａ及び熱源側吹出口１１０ｂが形成されている。熱源側吸込口１１０ａは、ケーシング１１０の背面１１２、右側面１１４及び左側面１１６に形成されている。熱源側吹出口１１０ｂは、ケーシング１１０の前面１１８に形成されている。
【００７９】
機械室空間Ｓｂには、主に、圧縮機２０が配置されている。圧縮機２０は、熱源側熱交換器４０の配置される熱源側空間Ｓａの上方に配置される。
【００８０】
利用側空間Ｓｃには、主に、利用側熱交換器５０と、利用側ファン７０と、が配置されている（図１及び図２参照）。利用側空間Ｓｃは、更に上下方向に分割され、下部側の空間Ｓｃａに利用側ファン７０が、上部側の空間Ｓｃｂに利用側熱交換器５０が、配置される（図１及び図２参照）。ケーシング１１０には、空間Ｓｃａに開口するように、吸込側ダクト２６０が接続される利用側吸込口１１０ｃが形成されている（図２参照）。また、ケーシング１１０には、空間Ｓｃｂに開口するように、吹出側ダクト２５０が接続される利用側吹出口１１０ｄが形成されている（図２参照）。利用側吸込口１１０ｃ及び利用側吹出口１１０ｄは、ケーシング１１０の前面１１８に形成されている。利用側ファン７０が駆動されると、吸込側ダクト２６０を介して、利用側吸込口１１０ｃから空気が流入し、利用側ファン７０により上方へと吹き出され、空間Ｓｃｂに配置された利用側熱交換器５０へと向かう。利用側ファン７０から利用側熱交換器５０へと向かった空気は、利用側熱交換器５０を通過して、利用側吹出口１１０ｄから吹出側ダクト２５０へと流入する。
【００８１】
なお、ここで示したケーシング１１０内の機器や空間の配置は、一例に過ぎず、適宜変更されてもよい。例えば、上下方向における、熱源側空間Ｓａ、機械室空間Ｓｂ及び利用側空間Ｓｃが配置される順序は、適宜変更されてもよい。例えば、ケーシング１１０内には、下方から、機械室空間Ｓｂ、熱源側空間Ｓａ、利用側空間Ｓｃの順に空間が配置されてもよい。この場合には、圧縮機２０は、熱源側熱交換器４０の配置される熱源側空間Ｓａの下方に配置される。
【００８２】
また、本実施形態では、熱源側空間Ｓａ、機械室空間Ｓｂ、及び利用側空間Ｓｃが上下方向に並べて配置されるが、熱源側空間Ｓａ、機械室空間Ｓｂ、及び利用側空間Ｓｃは上下方向に並ぶ必要はない。例えば、熱源側空間Ｓａ、機械室空間Ｓｂ、及び利用側空間Ｓｃの少なくとも一部が、互いに左右方向に並べて配置されてもよい。ただし、熱源側空間Ｓａ、機械室空間Ｓｂ、及び利用側空間Ｓｃを上下方向に並べて配置することで、ケーシング１１０の設置面積を抑制することができる。
【００８３】
なお、本実施形態では、１つのケーシング１１０内に熱源ユニット１０２を構成する機器や部品も、利用ユニット１０４を構成する機器や部品も収容されるが、これに限定されるものではなく、熱源ユニット１０２を構成する機器や部品と、利用ユニット１０４を構成する機器や部品とは、別のケーシングに収容されてもよい。言い換えれば、熱源ユニット１０２と、利用ユニット１０４とは、互いに冷媒配管で接続される別ユニットであってもよい。
【００８４】
（２−２）吸入／吹出ユニット
吸入／吹出ユニット２００は、空調対象空間Ｓ１の壁Ｗに設置され、空調対象空間Ｓ１の空気を吸い込み、空気調和装置１００の利用側熱交換器５０と熱交換した空気を空調対象空間Ｓ１へと吹き出すユニットである。
【００８５】
吸入／吹出ユニット２００は、主に本体２７０を有する（図１及び図２参照）。また、好ましくは、吸入／吹出ユニット２００は、本体２７０に形成された吹出口２１０に配置される吹出口フラップ２３０を有する（図１及び図２参照）。吹出口フラップ２３０は、吹出口２１０から吹き出す空気の向きを変える部品である。吹出口フラップ２３０は、制御装置９０により制御される図示しないモータにより駆動される。
【００８６】
なお、本実施形態では、吸入／吹出ユニット２００は、制御装置９０の一部を構成する吸入／吹出ユニット側制御装置（図示せず）を有する。しかし、吸入／吹出ユニット２００の説明の中では吸入／吹出ユニット側制御装置に関する説明は省略し、制御装置９０に関する説明の中で吸入／吹出ユニット側制御装置について説明する。
【００８７】
本体２７０は、概ね直方体形状のケーシングである。ただし、本体２７０の形状は、直方体形状に限定されるものではなく、適宜決定されればよい。本空気調和システム１では、利用側熱交換器５０及び利用側ファン７０や、冷媒回路１０を構成する冷媒配管等が全て空気調和装置１００内に配置されているため、本体２７０の奥行き（前後方向の厚み）が抑制される。例えば、冷媒回路１０が空気調和装置１００内に配置されていることで、本体２７０の奥行きは、１０ｍｍ〜２５０ｍｍの範囲に抑制でき、スリムな吸入／吹出ユニット２００を実現できる。
【００８８】
本体２７０は、その内部が、仕切部材２８０により上部空間Ｃ１と下部空間Ｃ２とに区画されている（図２参照）。なお、仕切部材２８０は、上部空間Ｃ１の空気が本体２７０の内部を通過して直接的に下部空間Ｃ２に流入することが無いよう、また、下部空間Ｃ２の空気が本体２７０の内部を通過して直接的に上部空間Ｃ１に流入することが無いように、上部空間Ｃ１と下部空間Ｃ２とを区画することが好ましい。
【００８９】
本体２７０には、上部空間Ｃ１と連通する吹出口２１０が形成されている。本体２７０の背面には、吹出側ダクト２５０と連通している吹出側開口（図示せず）が形成されている。吹出側開口（図示せず）は、上部空間Ｃ１と連通するように本体２７０に形成されている。空気調和装置１００の利用側ファン７０が運転されると、空気調和装置１００の利用側熱交換器５０を通過した空気が吹出側ダクト２５０を通過して吹出側開口（図示せず）から上部空間Ｃ１に流入し、その後、吹出口２１０から吹き出す。なお、各吹出口２１０から吹き出す空気の方向は、吹出口フラップ２３０により調節される。
【００９０】
本体２７０には、下部空間Ｃ２と連通する吸込口２２０が形成されている。本体２７０の背面には、吸込側ダクト２６０と連通している吸込側開口（図示せず）が形成されている。吸込側開口（図示せず）は、下部空間Ｃ２と連通するように本体２７０に形成されている。空気調和装置１００の利用側ファン７０が運転されると、吸込口２２０から空調対象空間Ｓ１の空気が流入し、下部空間Ｃ２を経て吸込側ダクト２６０へと流入する。
【００９１】
なお、ここで説明した吸入／吹出ユニット２００の態様は一例に過ぎず、吸込口２２０や吹出口２１０の位置や数等は適宜変更されればよい。また、吸入／吹出ユニット２００は、壁設置型ではなく、天井設置型等であってもよい。
【００９２】
（２−３）制御装置
制御装置９０は、空気調和システム１を構成する、空気調和装置１００及び吸入／吹出ユニット２００の各種機器の動作を制御する。制御装置９０は、例えば、空気調和装置１００が有する空気調和装置側制御装置（図示せず）と、吸入／吹出ユニット２００が有する吸入／吹出ユニット側制御装置（図示せず）とを含み、空気調和装置側制御装置及び吸入／吹出ユニット側制御装置が協働することで、制御装置９０として機能する。空気調和装置側制御装置及び吸入／吹出ユニット側制御装置のそれぞれは、ＣＰＵやメモリ等の部品を有するマイクロコンピュータを有する。
【００９３】
なお、制御装置９０は、空気調和装置側制御装置及び吸入／吹出ユニット側制御装置により構成されなくてもよい。例えば、空気調和装置１００が有する空気調和装置側制御装置だけで制御装置９０が構成されてもよいし、吸入／吹出ユニット２００が有する吸入／吹出ユニット側制御装置だけで制御装置９０が構成されてもよい。また、制御装置９０は、空気調和装置１００が有する空気調和装置側制御装置及び吸入／吹出ユニット２００が有する吸入／吹出ユニット側制御装置とは別の独立した装置であってもよい。
【００９４】
また、本実施形態の制御装置９０は、空気調和システム１の動作を制御する制御装置の一例にすぎない。制御装置は、本実施形態の制御装置９０が発揮する機能と同様の機能を、論理回路等のハードウェアにより実現してもよいし、ハードウェアとソフトウェアとの組合せにより実現してもよい。
【００９５】
制御装置９０は、圧縮機２０、流向切換機構３０、熱源側ファン６０、利用側ファン７０及び膨張機構８０を含む空気調和装置１００の各種機器と電気的に接続されている（図４参照）。また、制御装置９０は、吹出口フラップ２３０を含む吸入／吹出ユニット２００の各種機器と電気的に接続されている（図４参照）。また、制御装置９０は、空気調和システム１の各部に設けられた図示しない温度センサとも電気的に接続されている。温度センサには、例えば、冷媒回路１０の各部の冷媒の温度を計測する温度センサや、空調対象空間Ｓ１や空気調和装置設置空間Ｓ２の温度を計測する温度センサ等を含む。また、空気調和システム１の冷媒回路１０には、冷媒の圧力を測定するための圧力センサが設けられてもよい。制御装置９０は、マイクロコンピュータにおいて、ＣＰＵがメモリに記憶されたプログラムを実行することで、空気調和システム１の動作の制御を行う。
【００９６】
制御装置９０により制御される空気調和システム１の冷房／除湿運転時及び暖房運転時の、空気調和システム１の各種機器の動作について説明する。
【００９７】
＜冷房／除湿運転＞
操作スイッチ（図示せず）等からの指示によって冷房運転又は除湿運転の指示がなされると、制御装置９０は、空気調和システム１の運転状態が第１運転状態になるように流向切換機構３０を制御する（図３の流向切換機構３０中の実線参照）。また、制御装置９０は、圧縮機２０、熱源側ファン６０及び利用側ファン７０の運転を開始し、温度センサの計測値等に基づいて、圧縮機２０、膨張機構８０、熱源側ファン６０及び利用側ファン７０の動作を適宜制御する。また、制御装置９０は、吸入／吹出ユニット２００の吹出口フラップ２３０についても適宜制御する。
【００９８】
以上のように空気調和システム１の動作が制御される結果、冷媒回路１０内の冷凍サイクルにおける低圧のガス冷媒は、圧縮機２０に吸入されて圧縮され、冷凍サイクルにおける高圧のガス冷媒となる。圧縮機２０で圧縮されたガス冷媒は、流向切換機構３０を通じて熱源側熱交換器４０に送られる。熱源側熱交換器４０に送られた冷凍サイクルにおける高圧のガス冷媒は、凝縮器として機能する熱源側熱交換器４０において、熱源側ファン６０によって供給される空気調和装置設置空間Ｓ２の空気と熱交換を行って冷却されて凝縮し、高圧の液冷媒となる。一方、凝縮器として機能する熱源側熱交換器４０で加熱された空気は、ケーシング１１０に形成された熱源側吹出口１１０ｂから空気調和装置設置空間Ｓ２へと排出される。熱源側熱交換器４０で凝縮した液冷媒は、膨張機構８０で減圧されて膨張し、利用側熱交換器５０に送られる。利用側熱交換器５０に送られた低圧の気液二相状態の冷媒は、蒸発器として機能する利用側熱交換器５０において、利用側ファン７０によって供給される空調対象空間Ｓ１の空気と熱交換を行って蒸発し、低圧のガス冷媒となる。低圧のガス冷媒は、第２ガス連絡配管１０ｅ及び吸入管１０ａを通じて圧縮機２０に送られ、圧縮機２０に再び吸入される。一方、蒸発器として機能する利用側熱交換器５０で冷却された空気は、吸入／吹出ユニット２００の本体２７０の吹出口２１０から吹き出す。
【００９９】
＜暖房運転＞
操作スイッチ（図示せず）等からの指示によって暖房運転の指示がなされると、制御装置９０は、空気調和システム１の運転状態が第２運転状態になるように流向切換機構３０を制御する（図３の流向切換機構３０中の破線参照）。また、制御装置９０は、圧縮機２０、熱源側ファン６０及び利用側ファン７０の運転を開始し、温度センサの計測値等に基づいて、圧縮機２０、膨張機構８０、熱源側ファン６０及び利用側ファン７０の動作を適宜制御する。また、制御装置９０は、吸入／吹出ユニット２００側の吹出口フラップ２３０についても制御する。
【０１００】
以上のように空気調和システム１の動作が制御される結果、冷媒回路１０内の冷凍サイクルにおける低圧のガス冷媒は、圧縮機２０に吸入されて圧縮され、冷凍サイクルにおける高圧のガス冷媒となる。圧縮機２０で圧縮されたガス冷媒は、流向切換機構３０を通じて利用側熱交換器５０に送られる。利用側熱交換器５０に送られた冷凍サイクルにおける高圧のガス冷媒は、凝縮器として機能する利用側熱交換器５０において、利用側ファン７０によって供給される空調対象空間Ｓ１の空気と熱交換を行って冷却されて凝縮し、高圧の液冷媒となる。一方、凝縮器として機能する利用側熱交換器５０で加熱された空調対象空間Ｓ１の空気は、吸入／吹出ユニット２００の本体２７０の吹出口２１０から吹き出す。利用側熱交換器５０で凝縮した液冷媒は、膨張機構８０で減圧されて膨張し、熱源側熱交換器４０に送られる。熱源側熱交換器４０に送られた低圧の気液二相状態の冷媒は、蒸発器として機能する熱源側熱交換器４０において、熱源側ファン６０によって供給される空気調和装置設置空間Ｓ２の空気と熱交換を行って蒸発し、低圧のガス冷媒となる。低圧のガス冷媒は、第１ガス連絡配管１０ｃ及び吸入管１０ａを通じて圧縮機２０に送られ、圧縮機２０に再び吸入される。一方、蒸発器として機能する熱源側熱交換器４０で冷却された空気は、ケーシング１１０に形成された熱源側吹出口１１０ｂから空気調和装置設置空間Ｓ２へと排出される。
【０１０１】
（３）特徴
（３−１）
本実施形態の空気調和装置１００の熱源ユニット１０２は、熱源側熱交換器４０と、熱源側ファン６０と、ケーシング１１０と、を備える。熱源側熱交換器４０は、第１熱交換部４２及び第２熱交換部４４を含む。熱源側ファン６０は、熱源側熱交換器４０を通過する気流を生成し、熱源側熱交換器４０に対して気流の方向Ｄ１における風下側に配置される。ケーシング１１０は、熱源側熱交換器４０および熱源側ファン６０を収容する。ケーシング１１０は、熱源側熱交換器４０の気流の方向Ｄ１における風上側と面して配置される第１側面の一例としての背面１１２を有する。第１熱交換部４２は、気流の方向Ｄ１における風上側の第１平面Ｆ１を有する。第２熱交換部４４は、気流の方向Ｄ１における風上側の第２平面Ｆ２を有する。第１平面Ｆ１と第２平面Ｆ２とが成す角度αは、鈍角である。
【０１０２】
第１観点の空気調和装置１００の熱源ユニット１０２では、単一の平板状に形成された熱源側熱交換器４０を利用する場合に比べ、同一の熱交換能力をケーシング１１０の背面１１２の幅を抑制したスリムな熱源ユニット１０２で実現できる。そのため、比較的狭いスペースであっても本熱源ユニット１０２を設置できる。
【０１０３】
（３−２）
本実施形態の空気調和装置１００の熱源ユニット１０２は、平面視において、第１平面Ｆ１及び第２平面Ｆ２は、ケーシング１１０の背面１１２と交差する方向に広がる。
【０１０４】
本熱源ユニット１０２では、ケーシング１１０内に、第１平面Ｆ１及び第２平面Ｆ２がケーシング１１０の背面１１２と交差するように熱源側熱交換器４０が配置されるため、背面１１２の幅を抑制したスリムな熱源ユニット１０２が実現されやすい。
【０１０５】
（３−３）
本実施形態の空気調和装置１００の熱源ユニット１０２では、ケーシング１１０は、背面１１２の両端部から背面１１２と交差して延びる第２側面の一例としての右側面１１４と第３側面の一例としての左側面１１６とを有する。ケーシング１１０の背面１１２、右側面１１４、及び左側面１１６には熱源側吸込口１１０ａが形成される。熱源側ファン６０が運転されると、ケーシング１１０の背面１１２、右側面１１４、及び左側面１１６に形成された熱源側吸込口１１０ａから取り込まれた空気が熱源側熱交換器４０を通過する。
【０１０６】
本熱源ユニット１０２では、ケーシング１１０の複数の側面から空気を取り込むため、熱源側熱交換器４０に供給する空気量を確保することが容易である。
【０１０７】
（３−４）
本実施形態の空気調和装置１００の熱源ユニット１０２では、熱源側熱交換器４０は、第１熱交換部４２と第２熱交換部４４との間に配置される湾曲した第３熱交換部４６を含む。熱源側熱交換器４０の第１熱交換部４２、第３熱交換部４６、及び第２熱交換部４４は連続している。
【０１０８】
本熱源ユニット１０２では、第１熱交換部４２と第２熱交換部４４との間のスペースも熱交換に有効利用することができる。
【０１０９】
また、このような構造の熱源側熱交換器４０は、第１熱交換部４２と第２熱交換部４４とが独立している（不連続である）場合に比べて、加工・組立が容易であり、製造費の低減も図ることができる。
【０１１０】
（３−５）
本実施形態の空気調和装置１００の熱源ユニット１０２では、第１熱交換部４２と、第２熱交換部４４と、第１熱交換部４２及び第２熱交換部４４の互いの近位側の端部同士を結んだ直線Ｌ１と、第１熱交換部４２及び第２熱交換部４４の互いの遠位側の端部同士を結んだ直線Ｌ２とに囲まれた図形Ｚの内側に、熱源側ファン６０を駆動する熱源側ファン６０モータの少なくとも一部が位置する。
【０１１１】
本熱源ユニット１０２では、第１熱交換部４２と第２熱交換部４４とが鈍角を成すように配置されることで生ずるスペース（第１熱交換部４２と第２熱交換部４４とで挟まれたスペース）が熱源側ファン６０モータの設置スペースとして有効利用される。そのため、熱源ユニット１０２を小型化することが容易である。
【０１１２】
（３−６）
本実施形態の空気調和装置１００の熱源ユニット１０２は、熱源側熱交換器４０と共に空気調和装置１００の冷媒回路１０を形成する圧縮機２０を備える。圧縮機２０は、熱源側熱交換器４０の上方又は下方に配置される。
【０１１３】
ここでは、熱源ユニット１０２の圧縮機２０を熱源側熱交換器４０の上方又は下方に配置することで、圧縮機２０と熱源側熱交換器４０とを水平方向に並べて設置する場合に比べ、設置面積の小さな熱源ユニット１０２を実現することができる。
【０１１４】
（３−７）
本実施形態の空気調和装置１００の熱源ユニット１０２では、熱源側ファン６０は、少なくとも第１ファン６０ａ及び第２ファン６０ｂを含む。
【０１１５】
本熱源ユニット１０２では、熱源側ファン６０が複数であるため、低負荷時には一部の熱源側ファン６０を停止することで騒音の低減等を図ることができる。
【０１１６】
（３−８）
本実施形態の空気調和装置１００の熱源ユニット１０２では、第１ファン６０ａ及び第２ファン６０ｂは、上下に並べて配置されている。
【０１１７】
本熱源ユニット１０２では、複数のファン６０ａ，６０ｂを上下に並べて配置することで、複数のファン６０ａ，６０ｂを水平方向に並べて配置するよりも、設置面積の小さな熱源ユニット１０２を実現することができる。
【０１１８】
（３−９）
本実施形態の空気調和装置１００は、空調対象空間Ｓ１の外に配置される空気調和装置１００である。空気調和装置１００は、冷媒回路１０と、熱源側ファン６０と、利用側ファン７０と、ケーシング１１０と、を有する。冷媒回路１０は、圧縮機２０、熱源側熱交換器４０、及び利用側熱交換器５０を含む。熱源側ファン６０は、熱源側熱交換器４０を通過する気流を生成する。利用側ファン７０は、利用側熱交換器５０を通過する気流を生成する。ケーシング１１０は、冷媒回路１０、熱源側ファン６０及び利用側ファン７０を収容する。熱源側熱交換器４０は、第１熱交換部４２及び第２熱交換部４４を含む。熱源側ファン６０は、熱源側熱交換器４０に対して、熱源側ファン６０が生成する気流の方向Ｄ１（第１気流方向）における風下側に配置される。ケーシング１１０は、熱源側熱交換器４０の方向Ｄ１における風上側と面して配置される第１側面の一例としての背面１１２を有する。第１熱交換部４２は、方向Ｄ１における風上側の第１平面Ｆ１を有する。第２熱交換部は、方向Ｄ１における風上側の第２平面Ｆ２を有する。第１平面Ｆ１と第２平面Ｆ２とが成す角度αは、鈍角である。
【０１１９】
（４）変形例
以下に、上記実施形態の変形例を示す。なお、変形例は、互いに矛盾しない範囲で組み合わせて適用されてもよい。
【０１２０】
（４−１）変形例Ａ
上記実施形態では、熱源側熱交換器４０は、第１熱交換部４２と、第２熱交換部４４と、第１熱交換部４２及び第２熱交換部４４とを接続する第３熱交換部４６と、を有するが、熱源側熱交換器の形状はこのような形状に限定されるものではない。
【０１２１】
例えば、図６のように、熱源側熱交換器４０’は、平板状の第１熱交換部４２’と、第１熱交換部４２’とは別の平板状の第２熱交換部４４’と、を備えてもよい。そして、第１熱交換部４２’の第１平面Ｆ１’と第２熱交換部４４’の第２平面Ｆ２’とが成す角度α’が鈍角と成るように配置されてもよい。
【０１２２】
（４−２）変形例Ｂ
上記実施形態では、第１熱交換部４２の第１平面Ｆ１及び第２熱交換部４４の第２平面Ｆ２は、ケーシング１１０の背面１１２と交差する方向に広がる平面である。しかし、これに限定されるものではなく、熱源側熱交換器４０は、第１熱交換部４２の第１平面Ｆ１及び第２熱交換部４４の第２平面Ｆ２の一方が、ケーシング１１０の背面１１２と平行に広がる平面となるようにケーシング１１０内に配置されてもよい。ただし、ケーシング１１０の右側面１１４及び左側面１１６に形成された熱源側吸込口１１０ａも利用して、熱源側熱交換器４０を流れる冷媒とできるだけ多くの空気を熱交換させるという観点からは、第１熱交換部４２の第１平面Ｆ１及び第２熱交換部４４の第２平面Ｆ２がケーシング１１０の背面１１２と交差するように、熱源側熱交換器４０はケーシング１１０内に配置されることが好ましい。
【０１２３】
（４−３）変形例Ｃ
上記実施形態では、ケーシング１１０の背面１１２、右側面１１４及び左側面１１６に熱源側吸込口１１０ａが形成されるが、これに限定されるものではなく、十分な量の空気を熱源側吸込口１１０ａから吸込み可能であれば、これらの中のいずれかのケーシング１１０の側面には熱源側吸込口１１０ａが形成されなくてもよい。
【０１２４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１２５】
１０          冷媒回路
２０          圧縮機
４０，４０’  熱源側熱交換器（熱交換器）
４２，４２’  第１熱交換部
４４，４４’  第２熱交換部
４６          第３熱交換部
５０          利用側熱交換器
６０          熱源側ファン（ファン）
６０ａ        第１ファン
６０ｂ        第２ファン
６２          ファンモータ
７０          利用側ファン
１００        空気調和装置
１０２        熱源ユニット
１１０        ケーシング
１１０ｂ      熱源側吸込口（吸込口）
１１２        背面（第１側面）
１１４        右側面（第２側面）
１１６        左側面（第３側面）
Ｄ１          気流の方向（第１気流方向）
Ｆ１，Ｆ１’  第１平面
Ｆ２，Ｆ２’  第２平面
Ｚ            図形
α，α’      角度
【先行技術文献】
【特許文献】
【０１２６】
【特許文献１】特開２００７−１２７３８８号公報
【図１】
2020063861.tif 000003
【図２】
2020063861.tif 000004
【図３】
2020063861.tif 000005
【図４】
2020063861.tif 000006
【図５】
2020063861.tif 000007
【図６】
2020063861.tif 000008